(57)【要約】【課題】照明装置に従来のさまざまな検出及び遠隔モニタリングの技術を組み合わせた、スマートホームケア照明装置を提供する。【解決手段】本発明のスマートホームケア照明装置は、一部が透光性を備えた照明装置を含み、該照明装置内部に、照明用の照明モジュールと、外部環境検出用の検出モジュールと、該検出モジュールに組み合わせて提示に用いるアラートモジュール及び音声モジュールと、撮像用の撮像モジュールが設置され、かつ該照明装置内にさらにマイクロプロセッサと、ユーザーの個人の習慣及び健康データを伝送及び保存できる主制御モジュールが設置され、本発明は重複せずに映像を取得する範囲で全景３６０度の画角を構成し、該主制御モジュールによる判別と対応する動作を組み合わせ、家電と接続して使用することで、家族により完全なスマートホームケアを提供することができる。【選択図】図１
2019516209.tif 000002
【特許請求の範囲】
【請求項１】
スマートホームケア照明装置であって、照明装置と、照明モジュールと、検出モジュールと、撮像モジュールと、主制御モジュールを含み、
該照明装置が少なくとも一部分に透光性のカバーを備え、
該照明モジュールが該照明装置内に設置され、該カバーを介して照明光を外部に照射でき、
該検出モジュールが該照明装置内に設置され、該照明装置外部の環境状態を検出でき、かつ同様に該照明装置内に設置され、提示に用いられるアラートモジュールと、音声モジュールに接続され、
該撮像モジュールが少なくとも２つ以上のカメラを含み、該カメラが該照明装置内に設置され、その位置が重複せずに映像を取得する範囲に基づいて配置され、
該主制御モジュールが該照明装置内に設置され、かつ前述の各モジュールに電気的に接続され、各モジュールの情報を取得し、該主制御モジュール内の既定の標準と照合することで、対応する機能をオンまたはオフにすることができる、
ことを特徴とする、スマートホームケア照明装置。
【請求項２】
前記検出モジュールがさらに、
標的物の位置と人体機能の検出に用いる生体認識モジュールと、
該照明装置外部の環境の温度と湿度を検出する温湿度検出モジュールと、
該照明装置外部の煙を検出する煙検出モジュールと、
該照明装置外部の有害気体を検出する気体検出モジュールと、
該照明装置外部の環境中の浮遊微粒子含量を検出する空気検出モジュールと、
外部の信号入力に用いることができる赤外線送受信機と、
を含み、上述の各モジュールが該主制御モジュールに情報をフィードバックし、該主制御モジュールが標的物及び環境の設定標準を判別して、対応する機能をオンまたはオフにする、ことを特徴とする、請求項１に記載のスマートホームケア照明装置。
【請求項３】
前記照明モジュールがさらに、暖色系ＬＥＤと、冷色系ＬＥＤと、サブ照明灯を含み、該サブ照明灯が環状を呈し、かつ該照明装置の中央に設置され、該暖色系ＬＥＤと該冷色系ＬＥＤが該サブ照明灯の周縁に設置され、二重の輪の配置を構成し、該暖色系ＬＥＤが内側の輪、該冷色系ＬＥＤが外側の輪である、ことを特徴とする、請求項１に記載のスマートホームケア照明装置。
【請求項４】
前記アラートモジュールがさらに、ＩＰ設定インジケーターと、温湿度インジケーターと、煙ガスインジケーターと、ガスインジケーターと、空気品質インジケーターと、煙インジケーターを含み、上述各インジケーターが、該各検出モジュールにより取得されて該主制御モジュールにフィードバックされた情報に基づく判別を経て駆動されると発光して表示する、ことを特徴とする、請求項１に記載のスマートホームケア照明装置。
【請求項５】
さらに、前記主制御モジュールに電気的に接続された電源基板と、バックアップ電源コンパートメントを含み、該バックアップ電源コンパートメントが該照明装置に設置され、かつ該電源基板に電気的に接続され、電力不足の状況下で別途電源を提供できることを特徴とする、請求項１に記載のスマートホームケア照明装置。
【請求項６】
前記カメラが該カバー中央の突出した部位に設置されたことを特徴とする、請求項１に記載のスマートホームケア照明装置。
【請求項７】
前記カメラの単一での画角が１８０度であり、該撮像モジュールが少なくとも２つ以上のカメラを含み、３６０度の画角を構成し、死角のない全景のモニタリング範囲を達成することを特徴とする、請求項１に記載のスマートホームケア照明装置。
【請求項８】
前記検出モジュールが、赤外線制御、音声制御、ワイヤレスコントロール、またはアプリケーションを用いて、電気的に接続されている電器の相互接続性と互換性を改善でき、かつ該検出モジュールが増減可能であることを特徴とする、請求項１に記載のスマートホームケア照明装置。
【請求項９】
前記主制御モジュールと、照明モジュールと、検出モジュールと、アラートモジュールが、単一のボード、または複数のボードの形態を選択して設置できることを特徴とする、請求項１に記載のスマートホームケア照明装置。
【発明の詳細な説明】
【技術分野】
【０００１】
本発明はスマートホームケア照明装置に関し、照明装置に３６０度のターゲット識別が可能な撮像モジュール機能が内蔵され、環境状態検出機能と、アラートに用いることができる灯光と音声を統合し、家族の暮らしにより万全な保護を提供できる、スマートホームケア照明装置に関する。
【背景技術】
【０００２】
発光ダイオード（Ｌｉｇｈｔ  Ｅｍｉｔｉｎｇ  Ｄｏｉｄｅ、ＬＥＤ）の技術的応用の成熟に伴い、各メーカーは節電と照明の技術開発を継続しているほか、市場におけるＬＥＤ関連デバイスのスタイルと機能も多機能化の目標に向かって徐々に発展している。
【０００３】
医学の進歩と福利衛生の改善、及び世界的な出生率低下によって、人口構造の高齢化が進んでおり、在宅介護市場のニーズが増加を続けているが、介護者は不足しており、必要時に対応できないことがあり、また一般家庭にとって負担も重い。このため、メーカーは一般家庭のニーズを満たそうと近年さまざまな介護・看護向けの遠隔モニタリング設備を打ち出しており、好評と人気を博しているが、使用上、モニタリングの柔軟性不足や範囲の死角、相互作用設計の不足などの欠点が存在し、改善が待たれている。
【０００４】
例えば米国特許出願第１２／００９,６７４号の現場監視及び作業員時間追跡システムは、監視画面と現場生体スキャナを組み合わせ、ネットワーク経由で管理端に送信し、作業員の活動と行動を判別することで、管理目的を達成する。しかしながら、この手段は別途装置を追加する必要があり、実施面で十分ではなく、不便である。また、日本の特許出願第２０１２-２２５７９号の定在波レーダー内蔵型ＬＥＤ照明器具は、人体の距離、生理状態の検出と分析を利用して、光源と警報を駆動でき、建物や乗り物、道路上に応用するものであるが、高精度で迅速に人体状態の異常を検出できず、また検出範囲が短いという欠点があるため、家庭や干渉が比較的多い環境に実際に応用することは非常に困難である。
【先行技術文献】
【特許文献】
【０００５】
【特許文献１】米国特許出願第１２／００９,６７４号明細書
【特許文献２】日本特許出願第２０１２-２２５７９号明細書
【発明の概要】
【発明が解決しようとする課題】
【０００６】
本発明の発明者はＬＥＤ関連の研究開発・製造に長年従事しており、かつこれまでにすでに照明装置を組み合わせたモニタリングシステムを開発しており、さらに数多くの同類製品のユーザー体験とフィードバックを収集することで、ユーザーのニーズを把握している。前述の在宅介護に利用可能な遠隔モニタリング製品に、全体の構成が簡単で使いやすい独立したシステムを組み合わせることができれば、在宅介護が必要な家庭のニーズを満たし、かつよりスマートな制御機能を備えた家庭向けモニタリング環境を構築することができる。
【０００７】
本発明の目的は、照明装置に従来のさまざまな検出及び遠隔モニタリングの技術を組み合わせ、基本的には精度が比較的低い検出機能を改善し、住居環境に常用される家電装置を統合するとともに、システムで人体の状態を判別し、対応する設備を組み合わせることで、多機能家庭モニタリングシステムを派生させ、実際の応用上より簡易な、スマートホームケア照明装置を提供することにある。
【課題を解決するための手段】
【０００８】
本発明のスマートホームケア照明装置は、少なくとも一部分に透光性のカバーを備えた照明装置と、該照明装置の内部に設置された、照明を提供する照明モジュールと、重複しない範囲の映像を取得する撮像モジュールと、環境状態を検出する検出モジュールと、検出した環境状態を通知するアラートモジュールと、音声モジュールと、前述の各モジュールが電気的に接続された主制御モジュールを含み、該主制御モジュール内に情報を伝送できるチップが設置され、例えば、タブレット、スマートフォン、ハンドヘルドデバイス及びウェアラブルデバイス、車載インフォテインメントシステム（Ｉｎ−Ｖｅｈｉｃｌｅ  Ｉｎｆｏｔａｉｎｍｅｎｔ  Ｓｙｓｔｅｍ、ＩＶＩ）などを接続することができ、さらに該主制御モジュールは取得した情報を比較し、対応する機能をオンまたはオフにすることができる。加えて、該主制御モジュール内にユーザーに関するデータを保存し、パーソナルヘルスレコード（Ｐｅｒｓｏｎａｌ  Ｈｅａｌｔｈ  Ｒｅｃｏｒｄ、ＰＨＤ）を構築して、個人の健康に関する情報をより完全にすることができる。
【０００９】
以下本発明について説明する。請求項１に記載するスマートホームケア照明装置は、照明装置と、照明モジュールと、検出モジュールと、撮像モジュールと、主制御モジュールを含み、該照明装置が少なくとも一部分に透光性のカバーを備え、該照明モジュールが該照明装置内に設置され、該カバーを介して照明光を外部に照射でき、該検出モジュールが該照明装置内に設置され、該照明装置外部の環境状態を検出でき、かつ同様に該照明装置内に設置され、提示に用いられるアラートモジュールと、音声モジュールに接続され、該撮像モジュールが少なくとも２つ以上のカメラを含み、該カメラが該照明装置内に設置され、その位置が重複せずに映像を取得する範囲に基づいて配置され、該主制御モジュールが該照明装置内に設置され、かつ前述の各モジュールに電気的に接続され、各モジュールの情報を取得し、該主制御モジュール内の既定の標準と照合することで、対応する機能をオンまたはオフにすることができる。
【００１０】
請求項２に記載するスマートホームケア照明装置は、請求項１における前記検出モジュールがさらに、標的物の位置と人体機能の検出に用いる生体認識モジュールと、該照明装置外部の環境の温度と湿度を検出する温湿度検出モジュールと、該照明装置外部の煙を検出する煙検出モジュールと、該照明装置外部の有害気体を検出する気体検出モジュールと、該照明装置外部の環境中の浮遊微粒子含量を検出する空気検出モジュールと、外部の信号入力に用いることができる赤外線送受信機と、を含み、上述の各モジュールが該主制御モジュールに情報をフィードバックし、該主制御モジュールが標的物及び環境の設定標準を判別して、対応する機能をオンまたはオフにする。
【００１１】
請求項３に記載するスマートホームケア照明装置は、請求項１における前記照明モジュールがさらに、暖色系ＬＥＤと、冷色系ＬＥＤと、サブ照明灯を含み、該サブ照明灯が環状を呈し、かつ該照明装置の中央に設置され、該暖色系ＬＥＤと該冷色系ＬＥＤが該サブ照明灯の周縁に設置され、二重の輪の配置を構成し、該暖色系ＬＥＤが内側の輪、該冷色系ＬＥＤが外側の輪である。
【００１２】
請求項４に記載するスマートホームケア照明装置は、請求項１における前記アラートモジュールがさらに、ＩＰ設定インジケーターと、温湿度インジケーターと、煙ガスインジケーターと、ガスインジケーターと、空気品質インジケーターと、煙インジケーターを含み、上述各インジケーターが、該各検出モジュールにより取得されて該主制御モジュールにフィードバックされた情報に基づく判別を経て駆動されると発光して表示する。
【００１３】
請求項５に記載するスマートホームケア照明装置は、さらに請求項１における前記主制御モジュールに電気的に接続された電源基板と、バックアップ電源コンパートメントを含み、該バックアップ電源コンパートメントが該照明装置に設置され、かつ該電源基板に電気的に接続され、電力不足の状況下で別途電源を提供できる。
【００１４】
請求項６に記載するスマートホームケア照明装置は、請求項１における前記カメラが該カバー中央の突出した部位に設置される。
【００１５】
請求項７に記載するスマートホームケア照明装置は、請求項１における前記カメラの単一での画角が１８０度であり、該撮像モジュールが少なくとも２つ以上のカメラを含み、３６０度の画角を構成し、死角のない全景のモニタリング範囲を達成する。
【００１６】
請求項８に記載するスマートホームケア照明装置は、請求項１における前記検出モジュールが、赤外線制御、音声制御、ワイヤレスコントロール、またはアプリケーションを用いて、電気的に接続されている電器の相互接続性と互換性を改善でき、かつ該検出モジュールが増減可能である。
【００１７】
請求項９に記載するスマートホームケア照明装置は、請求項１における前記主制御モジュールと、照明モジュールと、検出モジュールと、アラートモジュールが、単一のボード、または複数のボードの形態を選択して設置できる。
【発明の効果】
【００１８】
本発明は撮像モジュールを利用して映像取得範囲を３６０度まで拡張し、映像取得範囲を改善するとともに、他のモジュールにより検出された情報を統合し、その情報を主制御モジュールに伝送して判別に応用することができる。また、家電製品を接続し、対応する設定値に基づき、住居環境を統合してスマート化でき、個人の習慣に合わせて、家族の健康を守り、生活の質と安全性を高めることができる。本発明の上述の目的、特徴を達成するために採用する手段とその効果についてより理解を深めるために、以下で最良の実施例と図面を組み合わせて詳細に説明する。
【図面の簡単な説明】
【００１９】
【図１】本発明の内部構造を示す側面概略図である。
【図２】本発明の内部構造を示す別の側面概略図である。
【図３】本発明の照明装置の仰視図である。
【図４】本発明の実施例２の内部構造を示す側面概略図である。
【図５】本発明の実施例２の内部構造を示す別の側面概略図である。
【図６】本発明の実施例２の照明装置の仰視図である。
【図７】本発明の実施例３の内部構造を示す断面図である。
【図８】本発明の実施例３の照明装置の仰視図である。
【図９】本発明の実施例４の埋め込みライトを示す断面図である。
【図１０】本発明の実施例５の天井吊下げ灯を示す断面図である。
【図１１】本発明の実施例６のライトパネルを示す部分拡大断面図である。
【図１２】本発明の実施例４の埋め込みライトの別の実施例を示す立体斜視図である。
【図１３】本発明の実施例４の埋め込みライトのさらに別の実施例を示す立体斜視図である。
【発明を実施するための形態】
【００２０】
本発明に対する理解を深めるため、本発明に基づく最良の実施と図面を組み合わせ、以下で詳細に説明する。本発明はスマートホームケア照明装置を提供する。
【００２１】
図１から図３に示すように、本発明は、照明装置１と、照明モジュールと、検出モジュールと、撮像モジュールと、主制御モジュールを含む。該照明装置１は少なくとも一部分に透光性のカバー２を備え、該カバー２が該照明装置１と一体成型されて、または分離した設計で、或いは簡略化して設置することができ、主に内部の光線を射出させることができればよく、上述の構成手段に限らない。該照明モジュール１２は、該照明装置１の内部に設置され、照明光を発生し、該カバー２を通して該照明装置１の外部へ照射する。該検出モジュール１３は、該照明装置１の内部に設置され、該照明装置１外部の環境状態を検出でき、かつ同様に該照明装置１の内部に設置され、提示に用いるアラートモジュール１４及び音声モジュール１５に接続される。該撮像モジュール１６は少なくとも１つのカメラ１６１を含み、該照明装置１の内部に設置され、その設置位置は重複せずに映像を取得する範囲に基づいて配置されるが、一般にカメラ１６１の画角は焦点距離の違いによって制限が異なり、前述の重複せずに映像を取得する範囲とは、より明確には、該カメラ１６１の画角が重なり合わないことを基本として配置することを指すため、水平または垂直方式で設置することができる。より具体的に説明すると、該カメラ１６１は１個が１８０度の画角であり、本発明は各実施例において２つまたはそれ以上のカメラ１６１で全景３６０度をカバーし、住居環境またはモニタリング標的物３の映像記録範囲を最善に拡張することができ、別途角度の調節動作を行う必要がなく、監視範囲の死角をなくすことができる。かつこのカメラ１６１は内部に２つ以上のレンズを設置して死角をなくす目的を達成した単一アセンブリとすることもでき、上述の実施内容に限らない。
【００２２】
該主制御モジュール１１は、内部にマイクロプロセッサと、情報を伝送できるチップを備え、かつ該電源基板１７による電源供給で駆動される。該チップはＷｉＦｉ、ブルートゥース（Ｂｌｕｅｔｏｏｔｈ）、またはワイヤレスコントロール等の手段で、例えばタブレット、スマートフォン、ハンドヘルドデバイス、ウェアラブルデバイス、車載インフォテインメントシステム（Ｉｎ−Ｖｅｈｉｃｌｅ  Ｉｎｆｏｔａｉｎｍｅｎｔ  Ｓｙｓｔｅｍ、ＩＶＩ）などに接続し、かつユーザーに関するデータを収集・保存して、パーソナルヘルスレコード（Ｐｅｒｓｏｎａｌ  Ｈｅａｌｔｈ  Ｒｅｃｏｒｄ、ＰＨＤ）等を構築することができる。該主制御モジュール１１は該照明装置１の内部に設置され、前述の各モジュールに電気的に接続され、各モジュールが取得した情報を取得し、該主制御モジュール１１内部のフィードバック情報を処理・判別することができるマイクロプロセッサの既定の標準と照合することで、対応する機能をオンまたはオフにすることができる。かつ、この照明装置１はさらに少なくとも１つのメモリカードスロット１８を備え、記録した映像をメモリカードに保存して携帯したり、メモリカードで映像の保存時間を増加したりするために用いることができる。上述の各モジュールは単一のボード、または複数のボードの形態で設置できるが、特に限定されない。
【００２３】
前述の検出モジュール１３は、標的物３の位置及び人体機能の検出に用いる生体認識モジュール１３１と、該照明装置１外部の環境温湿度の検出に用いる温湿度検出モジュール１３２と、該照明装置１外部の環境の煙の検出に用いる煙検出モジュール１３３と、該照明装置１外部の有害気体の検出に用いる気体検出モジュール１３４と、該照明装置１外部の環境中の浮遊微粒子含量の検出に用いる空気検出モジュール１３５と、外部の信号入力に供する赤外線送受信機１３６と、を含み、各モジュールが取得した情報はすべて該主制御モジュールにフィードバックされ、標的物３とその環境設定の標準を判別し、対応するアラートモジュール１４を作動させる。
【００２４】
前述の主制御モジュール１１は、赤外線制御、音声制御、ワイヤレスコントロール、アプリケーション（Ａｐｐｌｉｃａｔｉｏｎ、ＡＰＰ）等の手段を利用でき、各メーカーの電器の相互接続性、互換性の問題を改善することができる。つまり、数種類の各メーカーのリモートコントローラを前述の各手段で単一のリモートコントローラに統合し、検出モジュール１３が該主制御モジュール１１内のマイクロプロセッサに接続して、プログラムで分析した後の結果で対応するリモートコントロール操作を判断する。
【００２５】
前述の照明モジュール１２は、暖色系ＬＥＤ１２１と、冷色系ＬＥＤ１２２と、サブ照明灯１２３を含み、該サブ照明灯１２３は環状を呈し、かつ該照明装置１の中央に設置され、暖色系ＬＥＤ１２１と冷色系ＬＥＤ１２２は該サブ照明灯１２３の周縁のボード上に環状に設置され、二重の輪の配置を構成する。該暖色系ＬＥＤ１２１は内側の輪、該冷色系ＬＥＤ１２２が外側の輪である。かつ、該サブ照明灯１２３内部に光センサーが含まれ、該主制御モジュール１１を通じて該照明モジュール１２を自動調節させ、環境の光線に対応させる、或いは外部接続により入力されるコマンドを受け取り、操作制御させることができ、かつ異なるユーザーまたは好みに対応して設定を保存し、例えばスマートフォンのモバイルアプリ（ｍｏｂｉｌｅ  ａｐｐｌｉｃａｔｉｏｎ、ＡＰＰ）で照明効果を変化させ、特別な祝祭日などで全体の雰囲気を簡単に変えることができる。
【００２６】
該アラートモジュール１４は、ＩＰ設定インジケーター１４１と、温湿度インジケーター１４２と、煙ガスインジケーター１４３と、ガスインジケーター１４４と、空気品質インジケーター１４５と、煙インジケーター１４６を含み、これら各インジケーターはすべて、各検出モジュール１３により取得されて該主制御モジュール１１にフィードバックされた情報に基づく判別を経て駆動されると発光して表示する。上述の各インジケーターの数量は実際の必要に応じて増減して設計でき、これらに限定するものではないが、各インジケーターははっきりと表示できることが重要である。
【００２７】
さらに電力不足の状況下で追加電源の提供に用いるバックアップ電源コンパートメント１９が該照明装置１に設けられ、主に市販の電源の設置に供することができ、かつ該バックアップ電源コンパートメント１９と前述の電源基板１７が電気的に接続され、電力不足の状況下で追加の電源を提供し、ホームモニタリングシステム全体を駆動させることができる。該音声モジュール１５は、マイクロフォン１５２とスピーカー１５１を備え、主に音声の受け取り、識別、音声制御、音声再生に用いることができる。
【００２８】
さらに、各モジュールはそれぞれの機能に基づいてそれぞれのインジケーターに対応する。環境中の有害気体を検出する該気体検出モジュール１３４と、環境の煙を検出する煙検出モジュール１３３は、煙ガスインジケーター１４３に対応し、標準を超過することが検出されると、関連メッセージがワイヤレスデバイスに送信され、インジケーターの点滅と警報の再生が開始される。最も危険なレベルに達した場合、関連検出データと映像が消防署に送信される。煙インジケーター１４６、ガスインジケーター１４４は平時の運用時に点灯し、センサー機能の正常な動作を表示する。これら２種類の検出モジュールは、停電時や全体の給電不足の発生時も、作動状態が優先して維持され、これにより火災やガス爆発などの重大な災害の発生を回避し、住居環境の安全確保をサポートすることができる。空気検出モジュール１３５は主に環境の空気品質の追跡に用いられ、主に空気中の浮遊微粒子を検出し、関連メッセージをワイヤレスデバイスに送信する。対応する空気品質インジケーター１４５は、通常長い時間の間に異なる色で点灯し、現在の空気品質を表示する。一般に正常な状態は青色、中レベルの状態は黄色、最も悪い状態は赤で表示されるが、表示する色は実際の生産ニーズに基づき変更することができ、ここに記載した色に限らない。温湿度検出モジュール１３２は、主に空気中の温度と湿度を検出し、検出したデータが前述の主制御モジュール１１にフィードバックされ、該主制御モジュール１１によりメッセージがワイヤレスデバイスに送信される。対応する温湿度インジケーター１４２は、平時の動作時のみ点灯し、センサー機能の正常な動作を表示する。
【００２９】
該主制御モジュール１１の内部に設置されたチップは、該撮像モジュール１６が取得した情報を処理することができ、標的物３の温度や移動を判別し、該標的物３が該環境中の人或いはペットであるかを判断する。このほか、生体認識モジュール１３１は標的物３の位置及び人体機能を検出する。通常はドップラーレーダー（Ｄｏｐｐｌｅｒ  ｒａｄａｒ）を利用して実施され、そのうち振幅の周波数を通じてデータを取得する。生体認識モジュール１３１は通常該照明装置１の材質の影響を受けず、その内部に隠して設置でき、全体の外観の美観を高めることができる。より詳細に説明すると、呼吸信号中の高周波帯の移動信号を通じて、呼吸信号が検出され、かつ移動信号に基づき居住者の一定時間以上での移動が判明したとき、居住者が異常な状況にあることを判定する。このため、定在波分析を利用して、検出距離を拡張させ、高い精密度で異常を検出できる。かつこの検出で得た情報を該主制御モジュール１１にフィードバックし、ＰＨＤ内に記録することができる。異常があった場合、映像と検出された情報を病院に伝送し、遠隔の緊急医療指示を行うことができる。平常は家族による老人や子供の遠隔モニタリングに使用してもよい。ＩＰ設定インジケーター１４１は、主に撮像モジュール１６に指示を設定するために用いられる。主制御モジュール１１のチップは、赤外線送受信、音声、またはワイヤレスコントロールを介して検出モジュール１３に接続し、冷暖房機、空気清浄機、除湿機、テレビ、ライト等の家庭内でよく見受けられる家電製品の自動制御を達成することができる。ユーザーがリビングに入ると自動的にライトを点灯させ、かつその他接続された家電製品をユーザーの設定に基づいて作動させる。ユーザーが立ち去った後はライトと接続された家電製品を自動的にオフにする。該主制御モジュール１１にはさらに、ＷｉＦｉ、ブルートゥース、その他無線通信技術が内蔵され、対応するドア・窓用センサーと接続し、検出を行うことができる。例えば、ドア・窓にセンサーを設置し、該主制御モジュール１１に接続した後、ドア・窓に外部からの侵入が発生したか否かを判断することができ、外部からの侵入があった場合、主制御モジュール１１が撮像モジュール１６を作動させ、かつコマンドを送信して照明モジュール１２またはアラートモジュール１４を点滅または点灯させ、かつ該音声モジュール１５を駆動して警報再生を作動させると同時に、ユーザーへの通知や警察への通報などの動作を実行し、居住の安全性を大幅に向上することができる。
【００３０】
上述の構造は主に該検出モジュール１３とアラートモジュール１４の点滅表示、及び音声モジュール１５を通じ、該主制御モジュール１１のフィードバック情報処理を組み合わせ、居住環境の安全性と快適性を効果的に確保でき、かつ３６０度のカメラ１６１で、より広範なモニタリング範囲を確保し、イベントが発生する前に予め入力されたユーザーリストへの通知により防止する。通知に対応がない場合、データが継続して増加し、非常に危険な状況に達したときに、さらにネットワーク経由で情報を消防署に伝送する。伝送する情報には、現在検出されている気体濃度、住所、映像、その他の情報（例えば付近の病院や診療所にＰＨＤを伝送したり、病院や診療所から関連情報を取得したりすることができ、当然両者間では認証交換により情報の安全性を確約するか、製品の製造者が別途専用サーバーを構築して処理する必要がある）が含まれ、現場作業者が迅速に現場状況を把握し、対応・処理することを可能にする。
【００３１】
本発明の実施例２は、図４から図６に示すように、主な変更点は、該撮像モジュール１６が照明装置１の該カバー２中央の突出した部位に設置されている点にあり、該カメラ１６１のレンズが、前の実施例で照明装置１に固定式で設置されたものよりもより柔軟な調節でき、角度調整がより簡単で、水平と垂直の角度の微調整ができる。さらに原有のサブ照明灯１２３も調整して設置される。実施例１と実施例２はいずれも電球の設計向けであり、その構造上の変更は大きくないが、さまざまな異なる空間を有する灯具に応用することができる。 
【００３２】
図７から図１３を参照する。これらの図から分かるように、該灯具は順に、シーリングライト、埋め込みライト、天井吊下げ灯、ライトパネル、埋め込みライトの別の２種類の実施例となっている。図７のシーリングライトはその内部空間が比較的狭く、該照明装置１の少なくとも一部分が透光性のカバー２を備え、該照明装置１の内部に照明モジュール１２と、検出モジュール１３と、アラートモジュール１４と、音声モジュール１５と、撮像モジュール１６が設置される。該撮像モジュール１６は少なくとも１つのカメラ１６１が重複せずに映像を取得する視角で該照明装置１内に設置される。かつ、該照明装置１内にはさらに主制御モジュール１１が設置され、該主制御モジュール１１は上述の各モジュールに電気的に接続され、判別と家電の接続を行い、撮像モジュール１６が取得した映像、及び各モジュールが検出した情報をさらに解析し、対応する指示を下す。仰視図から分かるように、その中心位置は撮像モジュール１６であり、ここから外側へ向かって空気品質インジケーター１４５、サブ照明灯１２３、検出モジュール１３、アラートモジュール１４が順に設置され、最も外側に暖色系ＬＥＤ１２１と冷色系ＬＥＤ１２２が配置される。このような設計により、その占用体積が大幅に減少され、内部空間が比較的狭い灯具上に応用することができる。さらに図１２と図１３に２種類の埋め込みライトの構造を示す。その内部構造は前述の実施例と同じであるが、押圧で簡単に交換でき、検査と保守に便利であるという特徴を備えている。
【００３３】
上述をまとめると、本発明のスマートホームケア照明装置は、主制御モジュール１１内部に設置された、家電に接続するチップ、ＰＨＤ記録保存用チップ、マイクロプロセッサを通じて、検出モジュール１３と撮像モジュール１６が取得した情報を統合し、照明モジュール１２、アラートモジュール１４、音声モジュール１５を組み合わせ、死角のない、拡張された範囲で家族の身体の健康と安全を見守ることができ、かつ家電製品と通信機能を組み合わせて相互接続されたアプリケーションを構築することができる。本発明は一般的な同類のホームケア製品と比較して、より実益があり、別途センサー装置を配置する必要がなく、正確に検出を行うことができ、かつ個人データの保存も可能であるため、スマートホーム（Ｓｍａｒｔ  Ｈｏｍｅ）アプリケーションにおいて豊富な実用性を備えている。
【符号の説明】
【００３４】
１        照明装置
１１        主制御モジュール
１２        照明モジュール
１２１        暖色系ＬＥＤ
１２２        冷色系ＬＥＤ
１２３        サブ照明灯
１３        検出モジュール
１３１        生体認識モジュール
１３２        温湿度検出モジュール
１３３        煙検出モジュール
１３４        気体検出モジュール
１３５        空気検出モジュール
１３６        赤外線送受信機
１４        アラートモジュール
１４１        ＩＰ設定インジケーター
１４２        温湿度インジケーター
１４３        煙ガスインジケーター
１４４        ガスインジケーター
１４５        空気品質インジケーター
１４６        煙インジケーター
１５        音声モジュール
１５１        スピーカー
１５２        マイクロフォン
１６        撮像モジュール
１６１        カメラ
１７        電源基板
１８        メモリカードスロット
１９        バックアップ電源コンパートメント
２        カバー
３        標的物
【図１】
2019516209.tif 000003
【図２】
2019516209.tif 000004
【図３】
2019516209.tif 000005
【図４】
2019516209.tif 000006
【図５】
2019516209.tif 000007
【図６】
2019516209.tif 000008
【図７】
2019516209.tif 000009
【図８】
2019516209.tif 000010
【図９】
2019516209.tif 000011
【図１０】
2019516209.tif 000012
【図１１】
2019516209.tif 000013
【図１２】
2019516209.tif 000014
【図１３】
2019516209.tif 000015
【国際調査報告】
2019516209.tif 000016
2019516209.tif 000017
2019516209.tif 000018
2019516209.tif 000019